(57)【要約】      （修正有）【課題】遠赤外線放射率のより高いセラミックを製造し提供するもので、遠赤外線浴に使用する。熱源として面状発熱体を使用し、温度の立ち上がりの速さと温度の微調整を可能にし、遠赤外線放射率の高さを利用して安定した遠赤外線浴ができるようにする。【解決手段】より効率の良い遠赤外線浴ができるようにするために、面状発熱体３を使用し、温度の微調整を可能にし、適温への立ち上がりに即効性があり、冬でも保温する必要がない。面状発熱体の施工敷設も安価で施工性にも著しく富んでいる。【選択図】図１
2007021166.tif 000002
【特許請求の範囲】
【請求項１】
遠赤外線放射率の高い焼成セラミック（以下単に「セラミック」という。）をつくる方法。
【請求項２】
畳一畳の広さ（以下単に「ベッド」という。）にセラミックを平板状、球状、粉末状、小石状に加工整形してコンクリート表面に配列および混合して遠赤外線浴用のベッドを作る方法。
【請求項３】
ベッドに、平板状のセラミック板を敷き、下から熱し、並べた平板状のセラミックの上に仰向けに寝ることによって、平板状のセラミック板から出る遠赤外線浴を行なう構造。
【請求項４】
ベッドは、平板状のセラミック板のほかに、球形状の玉をベッドの表面に少し露出する程度に埋め込み、背中や腰、足に適度な刺激を与えるような配列の方法。
【請求項５】
ベッド断面の最下部は熱源からの熱の放散を防ぐため断熱材を敷いている構造。
【請求項６】
熱源として面状発熱体により、平板状のセラミック板及びベッドのセラミック類を熱することにより遠赤外線浴を行なうことができる構造。
【請求項７】
面状発熱体を使用した、独立した広さ畳一畳の個人用可動式遠赤外線浴用ベッドを作る方法。
【請求項８】
遠赤外線浴を座った状態で行い同時に足浴を行なう方法。
【発明の詳細な説明】
【技術分野】
【０００１】本発明は、遠赤外線の放射吸収率の高いセラミックを合成しそれを利用して健康促進に利用するようにしたものである。１３００〜６００ｃｍ−１領域に現れる赤外線吸収帯は、分子の骨格そのものの振動や、分子の骨格の幾何学的形態に強く影響される振動による吸収帯が多い。この部分の赤外スペクトルには分子の種類の差異によって顕著な違いが現れる。一方、赤外線の吸収は結合の双極子モーメントが周期的に変化している振動にのみ起こり、その吸収の大きさは極性の変化の程度によって決まるので、双極子分子の集合体でなければならない。また、遠赤外線放射吸収率の高い岩石をみるに、岩石化合物は１：１構造と２：１構造に分別されるが、１：１構造は垂直な方向に関して非対称（極性を持つ）となり、四面体側表面は底面酸素、八面体側表面はＯＨ基からなる。ＳｉとＡｌがバランスよく位置していることからＡｌの量が多く双極子相互作用が少ない。一方、２：１構造は層面に垂直な方向に対して対称的であり両面はいずれも四面体の底面酸素から成る、しかも２：１構造のみの重なりからなる結晶は少なく、一般に層間に正の電荷を持っていて正負正負の電荷の互層からなる３次元結晶をつくる。赤外線吸収スペクトルには結晶の基本構造や構造の変形、構造の規則性、結晶粒子の大きさ、同形のイオン置換など、数多くの因子が関係しており、振動数を計算で求めてもつくる事はできない。以上の見地に立って、７０重量％の双極子相互作用を持つ二酸化珪素を中心として、５．６５重量％のアルカリ酸化物、３重量％のアルカリ土類酸化物、などの間に八面体両性酸化物として１５重量％の酸化アルミニウム、５．５重量％の酸化鉄を配する成分とし、その間の分子格子に０．７重量％の酸化チタン、０．１５重量％の酸化マンガンを配して微粉末とし、１２８０℃で焼成した。これを表面温度９０．４℃で測定した遠赤外線積分放射率は８８．０％となった。この合成品に熱源より加温し、発生する遠赤外線を浴すると、体内部より暖まることを促進する効果がある。自然岩石でもこの成分に近似した岩石であれば、この合成品の代わりに遠赤外線浴として使用することもできる。【０００２】この焼成粉末を平板状および球状に加工成型して、コンクリート０．２４ｍ３に対し、遠赤外線放射セラミック微粉末１５ｋｇ、径３〜４ｃｍの球状セラミックを３０ｋｇ混合する。３ｃｍ厚の３０ｃｍ角を３枚、を肩、腰、足に当るところの表面に位置し、３ｃｍ厚の縦１５ｃｍ横２０ｃｍの平板を頭に当るところに位置して、径１．５ｃｍの球状セラミックを平板の周りの表面に５ｋｇ並べてベッドを作る。ベッドの周辺に変形した平板盤を配置しても良い。【０００３】ベッド表面の平板に接するように面状発熱体を敷設しベッド表面温度を４５〜５２℃に調整し、上から水をかける。水が緩衝材となりベッド上に直接仰向けに寝ると丁度良い温度に体感し、遠赤外線浴が増進できる。【０００４】ベッドの形は一人用として縦２ｍ横１ｍを標準とし半径２〜２．５ｍの円形ベッドに放射線状に遠赤外線浴を行なう円形型。数人が雑魚寝型で遠赤外線浴ができる多人数型もできる。【０００５】腰部、背中部に平板および球形セラミックを埋め込んだ椅子に腰掛け、足部は足が丁度入る程度、４０ｃｍ前後角で、深さ２０〜３０ｃｍの浴槽に足を漬けて遠赤外線浴を行なう。湯温は温泉風呂程度の４０〜４２℃が最も良い。【０００６】一人用ベッドを寝台ベッド型にして、胸部から足部にかけてカバーを付け、保温ができるようにした可動式遠赤外線浴ベッドができる。熱源は面状発熱体を使用する。
【背景技術】
【０００７】一般に遠赤外線放射材として流通している鉱石や合成セラミックは、赤外線積分放射率が７０％以上あれば遠赤外線放射材であるとされています。これらの放射率をさらに上げるために人工材料を合成しているが、通常８２〜８３％程度が限度とされていた。【０００８】平板盤やタイルを暖める熱源として、床暖房用の配湯管を敷設して７０℃くらいのお湯を通して使用。表面温度を４８〜５０℃くらいになるように調整。ボイラーは通湯区画単位で区切り設置。敷設施工時はパイプ厚と平板までの余裕間隔に３ｃｍをあけて設置した。【０００９】雑魚寝型、足浴型、可動式の遠赤外線浴は従来から近似した方法はなかった。
【発明の開示】
【発明が解決しようとする課題】
【００１０】遠赤外線放射率が８０％を超える材料は高価であるので、安価で豊富にある材料で提供できる製造方法があれば、手軽に遠赤外線浴が行なえる。【００１１】石版やタイルを暖める熱源として、床暖房用の配湯管を敷設して７０℃くらいのお湯を通して使用しているが、通湯区間での温度の低下があって、均一の温度調整ができないので通湯区間を区割りにしてボイラーを設置する方法を採っていた。砂風呂など複数の風呂区画を持つ場合はこの方法によっている。人に合った温度の微調整ができず、適温までの立ち上がりが３〜４時間かかることから、使用するときは数時間前から、ボイラーを稼動させる必要があった。敷設施工時はパイプ厚と平板までの余裕間隔に３ｃｍを必要とするのでコンクリート量およびセラミック量が多く必要とした。【００１２】石版を敷いただけのベッドでの岩盤浴や岩盤を砂状に粉砕して砂風呂として使用するので利用後の洗浄が簡単に散水だけであったり、水を通しただけの洗浄であったりするので衛生上の問題点があった。【００１３】石版利用の場合は一人用しかなく、多人数で使用できる方法がなかった。【００１４】石版利用の場合でもベッドの可動式がなく、施設としての設置型しかパイプ熱源の場合はできなかった。
【課題を解決するための手段】
【００１５】成分としての二酸化珪素は石英粉を利用し、アルミナ、酸化鉄、酸化アルカリ、酸化アルカリ土類、など安価で豊富に入手できる材料と酸化チタンを少量混合して焼成するだけなので簡単に合成できる。この割合の自然岩石の場合でも同様に遠赤外線放射が多いのでこれを利用しても良い。【００１６】加熱手段としてパイプによる通湯方式でなく、面状発熱体をセラミックに直接接して設置し熱効率を高める事ができる。【００１７】可動式のベッドに面状発熱体を熱源とすることによって、設置型施設でない移動もできる設備方式が可能になる。【００１８】面状発熱体の使用によって、足の悪い人など下半身を重点的に、遠赤外線浴をしたい人用として、座席方式で足浴が可能になった。
【発明の効果】
【００１９】遠赤外線の放射率が高くなると、体の深部まで温まるのが大きく、遠赤外線浴の効果が高くなる。同じ表面温度に設定しても、放射率の大小によって発汗量が異なり多くなる。これは体内老廃物の排出と、体脂肪の燃焼がより促進されることになる。【００２０】熱源としての面状発熱体の温度を６０℃に設定してもセラミックの表面温度は４８〜５０℃で調整され、立ち上がりも室内温度が１８℃の場合１０分で所定の温度まで上がり使用できるようになった。室内温度の状態によって、面状発熱体の発熱温度の設定を調整すれば立ち上がり温度への到達時間は著しく短縮される。また、個人による温度設定は各ベッド毎に可能となり、個人の体の状態によって、温度を調整することが可能になった。この場合も面状発熱体の設定温度を従来のパイプの設定よりも１０℃前後低下させても遠赤外線浴の効果は変わらない。これは放射率の向上と面状発熱体の相乗効果による。【００２１】面状発熱体の施工は、従来のパイプに比べ施工時間、施工コスト共に四〜五分の一以下に軽減された。【００２２】ランニングコストはパイプ方式に比較して、熱交換効率がパイプ方式が５４％ほどに対して９３％と高く、温度の設定において、電流のＯＮ、ＯＦＦの繰り返しにおいてコストは低下する。しかも、立ち上がり時間の問題で常時３０℃に維持していかなければならないパイプ式に比べ、停止で済むのでコストはかからない。ランニングコストは十分の一に低下した。
【実施例１】
【００２３】試験設置（セラミック製造工場敷地内施工）
遠赤外線放射平板型を図１及び２のように配置し、パイプ式熱源と面状発熱体熱源の方法で設置試験した。
【図面の簡単な説明】
2007021166.tif 000003
【符号の説明】
【００２６】１平板整形盤または岩石の板状盤
２球状整形玉
３面状発熱体シート
４平板整形盤の変形盤
５断熱材
６コンクリート
2007021166.tif 000004
【符号の説明】
【００２８】１面状発熱体
２面状発熱体シート
2007021166.tif 000005
2007021166.tif 000006
【手続補正書】
【提出日】平成17年10月26日(2005.10.26)
【手続補正３】
【補正対象書類名】明細書
【補正対象項目名】全文
【補正方法】変更
【補正の内容】
【発明の詳細な説明】
【技術分野】
【０００１】本発明は、遠赤外線の放射吸収率の高いセラミックを合成しそれを利用して健康促進に利用するようにしたものである。１３００〜６００ｃｍ−１領域に現れる赤外線吸収帯は、分子の骨格そのものの振動や、分子の骨格の幾何学的形態に強く影響される振動による吸収帯が多い。この部分の赤外スペクトルには分子の種類の差異によって顕著な違いが現れる。一方、赤外線の吸収は結合の双極子モーメントが周期的に変化している振動にのみ起こり、その吸収の大きさは極性の変化の程度によって決まるので、双極子分子の集合体でなければならない。また、遠赤外線放射吸収率の高い岩石をみるに、岩石化合物は１：１構造と２：１構造に分別されるが、１：１構造は垂直な方向に関して非対称（極性を持つ）となり、四面体側表面は底面酸素、八面体側表面はＯＨ基からなる。ＳｉとＡｌがバランスよく位置していることからＡｌの量が多く双極子相互作用が少ない。一方、２：１構造は層面に垂直な方向に対して対称的であり両面はいずれも四面体の底面酸素から成る、しかも２：１構造のみの重なりからなる結晶は少なく、一般に層間に正の電荷を持っていて正負正負の電荷の互層からなる３次元結晶をつくる。赤外線吸収スペクトルには結晶の基本構造や構造の変形、構造の規則性、結晶粒子の大きさ、同形のイオン置換など、数多くの因子が関係しており、振動数を計算で求めてもつくる事はできない。以上の見地に立って、７０重量％の双極子相互作用を持つ二酸化珪素を中心として、５．６５重量％のアルカリ酸化物、３重量％のアルカリ土類酸化物、などの間に八面体両性酸化物として１５重量％の酸化アルミニウム、５．５重量％の酸化鉄を配する成分とし、その間の分子格子に０．７重量％の酸化チタン、０．１５重量％の酸化マンガンを配して微粉末とし、１２８０℃で焼成した。これを表面温度９０．４℃で測定した遠赤外線積分放射率は８８．０％となった。この合成品に熱源より加温し、発生する遠赤外線を浴すると、体内部より暖まることを促進する効果がある。自然岩石でもこの成分に近似した岩石であれば、この合成品の代わりに遠赤外線浴として使用することもできる。【０００２】この焼成粉末を平板状および球状に加工成型して、コンクリート０．２４ｍ３に対し、遠赤外線放射セラミック微粉末１５ｋｇ、径３〜４ｃｍの球状セラミックを３０ｋｇ混合する。３ｃｍ厚の３０ｃｍ角を３枚、を肩、腰、足に当るところの表面に位置し、３ｃｍ厚の縦１５ｃｍ横２０ｃｍの平板を頭に当るところに位置して、径１．５ｃｍの球状セラミックを平板の周りの表面に５ｋｇ並べてベッドを作る。ベッドの周辺に変形した平板盤を配置しても良い。【０００３】ベッド表面の平板に接するように面状発熱体を敷設しベッド表面温度を４５〜５２℃に調整し、上から水をかける。水が緩衝材となりベッド上に直接仰向けに寝ると丁度良い温度に体感し、遠赤外線浴が増進できる。【０００４】ベッドの形は一人用として縦２ｍ横１ｍを標準とし半径２〜２．５ｍの円形ベッドに放射線状に遠赤外線浴を行なう円形型。数人が雑魚寝型で遠赤外線浴ができる多人数型もできる。【０００５】腰部、背中部に平板および球形セラミックを埋め込んだ椅子に腰掛け、足部は足が丁度入る程度、４０ｃｍ前後角で、深さ２０〜３０ｃｍの浴槽に足を漬けて遠赤外線浴を行なう。湯温は温泉風呂程度の４０〜４２℃が最も良い。【０００６】一人用ベッドを寝台ベッド型にして、胸部から足部にかけてカバーを付け、保温ができるようにした可動式遠赤外線浴ベッドができる。熱源は面状発熱体を使用する。
【背景技術】
【０００７】一般に遠赤外線放射材として流通している鉱石や合成セラミックは、赤外線積分放射率が７０％以上あれば遠赤外線放射材であるとされています。これらの放射率をさらに上げるために人工材料を合成しているが、通常８２〜８３％程度が限度とされていた。【０００８】平板盤やタイルを暖める熱源として、床暖房用の配湯管を敷設して７０℃くらいのお湯を通して使用。表面温度を４８〜５０℃くらいになるように調整。ボイラーは通湯区画単位で区切り設置。敷設施工時はパイプ厚と平板までの余裕間隔に３ｃｍをあけて設置した。【０００９】雑魚寝型、足浴型、可動式の遠赤外線浴は従来から近似した方法はなかった。
【発明の開示】
【発明が解決しようとする課題】
【００１０】遠赤外線放射率が８０％を超える材料は高価であるので、安価で豊富にある材料で提供できる製造方法があれば、手軽に遠赤外線浴が行なえる。【００１１】石版やタイルを暖める熱源として、床暖房用の配湯管を敷設して７０℃くらいのお湯を通して使用しているが、通湯区間での温度の低下があって、均一の温度調整ができないので通湯区間を区割りにしてボイラーを設置する方法を採っていた。砂風呂など複数の風呂区画を持つ場合はこの方法によっている。人に合った温度の微調整ができず、適温までの立ち上がりが３〜４時間かかることから、使用するときは数時間前から、ボイラーを稼動させる必要があった。敷設施工時はパイプ厚と平板までの余裕間隔に３ｃｍを必要とするのでコンクリート量およびセラミック量が多く必要とした。【００１２】石版を敷いただけのベッドでの岩盤浴や岩盤を砂状に粉砕して砂風呂として使用するので利用後の洗浄が簡単に散水だけであったり、水を通しただけの洗浄であったりするので衛生上の問題点があった。【００１３】石版利用の場合は一人用しかなく、多人数で使用できる方法がなかった。【００１４】石版利用の場合でもベッドの可動式がなく、施設としての設置型しかパイプ熱源の場合はできなかった。
【課題を解決するための手段】
【００１５】成分としての二酸化珪素は石英粉を利用し、アルミナ、酸化鉄、酸化アルカリ、酸化アルカリ土類、など安価で豊富に入手できる材料と酸化チタンを少量混合して焼成するだけなので簡単に合成できる。この割合の自然岩石の場合でも同様に遠赤外線放射が多いのでこれを利用しても良い。【００１６】加熱手段としてパイプによる通湯方式でなく、面状発熱体をセラミックに直接接して設置し熱効率を高める事ができる。【００１７】可動式のベッドに面状発熱体を熱源とすることによって、設置型施設でない移動もできる設備方式が可能になる。【００１８】面状発熱体の使用によって、足の悪い人など下半身を重点的に、遠赤外線浴をしたい人用として、座席方式で足浴が可能になった。
【発明の効果】
【００１９】遠赤外線の放射率が高くなると、体の深部まで温まるのが大きく、遠赤外線浴の効果が高くなる。同じ表面温度に設定しても、放射率の大小によって発汗量が異なり多くなる。これは体内老廃物の排出と、体脂肪の燃焼がより促進されることになる。【００２０】熱源としての面状発熱体の温度を６０℃に設定してもセラミックの表面温度は４８〜５０℃で調整され、立ち上がりも室内温度が１８℃の場合１０分で所定の温度まで上がり使用できるようになった。室内温度の状態によって、面状発熱体の発熱温度の設定を調整すれば立ち上がり温度への到達時間は著しく短縮される。また、個人による温度設定は各ベッド毎に可能となり、個人の体の状態によって、温度を調整することが可能になった。この場合も面状発熱体の設定温度を従来のパイプの設定よりも１０℃前後低下させても遠赤外線浴の効果は変わらない。これは放射率の向上と面状発熱体の相乗効果による。【００２１】面状発熱体の施工は、従来のパイプに比べ施工時間、施工コスト共に四〜五分の一以下に軽減された。【００２２】ランニングコストはパイプ方式に比較して、熱交換効率がパイプ方式が５４％ほどに対して９３％と高く、温度の設定において、電流のＯＮ、ＯＦＦの繰り返しにおいてコストは低下する。しかも、立ち上がり時間の問題で常時３０℃に維持していかなければならないパイプ式に比べ、停止で済むのでコストはかからない。ランニングコストは十分の一に低下した。
【実施例１】
【００２３】試験設置（セラミック製造工場敷地内施工）
遠赤外線放射平板型を図１及び２のように配置し、パイプ式熱源と面状発熱体熱源の方法で設置試験した。
【手続補正４】
【補正対象書類名】図面
【補正対象項目名】全図
【補正方法】変更
【補正の内容】
【図１】
2007021166.tif 000007
【図２】
2007021166.tif 000008
【図３】
2007021166.tif 000009
【手続補正書】
【提出日】平成18年2月24日(2006.2.24)
【手続補正１】
【補正対象書類名】手続補正書
【補正対象項目名】手続補正３
【補正方法】変更
【補正の内容】
【手続補正３】
【補正対象書類名】明細書
【補正対象項目名】全文
【補正方法】変更
【補正の内容】
【発明の詳細な説明】
【技術分野】
【０００１】本発明は、遠赤外線の放射吸収率の高いセラミックを合成しそれを利用して健康促進に利用するようにしたものである。１３００〜６００ｃｍ−１領域に現れる赤外線吸収帯は、分子の骨格そのものの振動や、分子の骨格の幾何学的形態に強く影響される振動による吸収帯が多い。この部分の赤外スペクトルには分子の種類の差異によって顕著な違いが現れる。一方、赤外線の吸収は結合の双極子モーメントが周期的に変化している振動にのみ起こり、その吸収の大きさは極性の変化の程度によって決まるので、双極子分子の集合体でなければならない。また、遠赤外線放射吸収率の高い岩石をみるに、岩石化合物は１：１構造と２：１構造に分別されるが、１：１構造は垂直な方向に関して非対称（極性を持つ）となり、四面体側表面は底面酸素、八面体側表面はＯＨ基からなる。ＳｉとＡｌがバランスよく位置していることからＡｌの量が多く双極子相互作用が少ない。一方、２：１構造は層面に垂直な方向に対して対称的であり両面はいずれも四面体の底面酸素から成る、しかも２：１構造のみの重なりからなる結晶は少なく、一般に層間に正の電荷を持っていて正負正負の電荷の互層からなる３次元結晶をつくる。赤外線吸収スペクトルには結晶の基本構造や構造の変形、構造の規則性、結晶粒子の大きさ、同形のイオン置換など、数多くの因子が関係しており、振動数を計算で求めてもつくる事はできない。以上の見地に立って、７０重量％の双極子相互作用を持つ二酸化珪素を中心として、５．６５重量％のアルカリ酸化物、３重量％のアルカリ土類酸化物、などの間に八面体両性酸化物として１５重量％の酸化アルミニウム、５．５重量％の酸化鉄を配する成分とし、その間の分子格子に０．７重量％の酸化チタン、０．１５重量％の酸化マンガンを配して微粉末とし、１２８０℃で焼成した。これを表面温度９０．４℃で測定した遠赤外線積分放射率は８８．０％となった。この合成品に熱源より加温し、発生する遠赤外線を浴すると、体内部より暖まることを促進する効果がある。自然岩石でもこの成分に近似した岩石であれば、この合成品の代わりに遠赤外線浴として使用することもできる。【０００２】この焼成粉末を平板状および球状に加工成型して、コンクリート０．２４ｍ３に対し、遠赤外線放射セラミック微粉末１５ｋｇ、径３〜４ｃｍの球状セラミックを３０ｋｇ混合する。３ｃｍ厚の３０ｃｍ角を３枚、を肩、腰、足に当るところの表面に位置し、３ｃｍ厚の縦１５ｃｍ横２０ｃｍの平板を頭に当るところに位置して、径１．５ｃｍの球状セラミックを平板の周りの表面に５ｋｇ並べてベッドを作る。ベッドの周辺に変形した平板盤を配置しても良い。【０００３】ベッド表面の平板に接するように面状発熱体を敷設しベッド表面温度を４５〜５２℃に調整し、上から水をかける。水が緩衝材となりベッド上に直接仰向けに寝ると丁度良い温度に体感し、遠赤外線浴が増進できる。【０００４】ベッドの形は一人用として縦２ｍ横１ｍを標準とし半径２〜２．５ｍの円形ベッドに放射線状に遠赤外線浴を行なう円形型。数人が雑魚寝型で遠赤外線浴ができる多人数型もできる。【０００５】腰部、背中部に平板および球形セラミックを埋め込んだ椅子に腰掛け、足部は足が丁度入る程度、４０ｃｍ前後角で、深さ２０〜３０ｃｍの浴槽に足を漬けて遠赤外線浴を行なう。湯温は温泉風呂程度の４０〜４２℃が最も良い。【０００６】一人用ベッドを寝台ベッド型にして、胸部から足部にかけてカバーを付け、保温ができるようにした可動式遠赤外線浴ベッドができる。熱源は面状発熱体を使用する。
【背景技術】
【０００７】一般に遠赤外線放射材として流通している鉱石や合成セラミックは、赤外線積分放射率が７０％以上あれば遠赤外線放射材であるとされています。これらの放射率をさらに上げるために人工材料を合成しているが、通常８２〜８３％程度が限度とされていた。【０００８】平板盤やタイルを暖める熱源として、床暖房用の配湯管を敷設して７０℃くらいのお湯を通して使用。表面温度を４８〜５０℃くらいになるように調整。ボイラーは通湯区画単位で区切り設置。敷設施工時はパイプ厚と平板までの余裕間隔に３ｃｍをあけて設置した。【０００９】雑魚寝型、足浴型、可動式の遠赤外線浴は従来から近似した方法はなかった。
【発明の開示】
【発明が解決しようとする課題】
【００１０】遠赤外線放射率が８０％を超える材料は高価であるので、安価で豊富にある材料で提供できる製造方法があれば、手軽に遠赤外線浴が行なえる。【００１１】石版やタイルを暖める熱源として、床暖房用の配湯管を敷設して７０℃くらいのお湯を通して使用しているが、通湯区間での温度の低下があって、均一の温度調整ができないので通湯区間を区割りにしてボイラーを設置する方法を採っていた。砂風呂など複数の風呂区画を持つ場合はこの方法によっている。人に合った温度の微調整ができず、適温までの立ち上がりが３〜４時間かかることから、使用するときは数時間前から、ボイラーを稼動させる必要があった。敷設施工時はパイプ厚と平板までの余裕間隔に３ｃｍを必要とするのでコンクリート量およびセラミック量が多く必要とした。【００１２】石版を敷いただけのベッドでの岩盤浴や岩盤を砂状に粉砕して砂風呂として使用するので利用後の洗浄が簡単に散水だけであったり、水を通しただけの洗浄であったりするので衛生上の問題点があった。【００１３】石版利用の場合は一人用しかなく、多人数で使用できる方法がなかった。【００１４】石版利用の場合でもベッドの可動式がなく、施設としての設置型しかパイプ熱源の場合はできなかった。
【課題を解決するための手段】
【００１５】成分としての二酸化珪素は石英粉を利用し、アルミナ、酸化鉄、酸化アルカリ、酸化アルカリ土類、など安価で豊富に入手できる材料と酸化チタンを少量混合して焼成するだけなので簡単に合成できる。この割合の自然岩石の場合でも同様に遠赤外線放射が多いのでこれを利用しても良い。【００１６】加熱手段としてパイプによる通湯方式でなく、面状発熱体をセラミックに直接接して設置し熱効率を高める事ができる。【００１７】可動式のベッドに面状発熱体を熱源とすることによって、設置型施設でない移動もできる設備方式が可能になる。【００１８】面状発熱体の使用によって、足の悪い人など下半身を重点的に、遠赤外線浴をしたい人用として、座席方式で足浴が可能になった。
【発明の効果】
【００１９】遠赤外線の放射率が高くなると、体の深部まで温まるのが大きく、遠赤外線浴の効果が高くなる。同じ表面温度に設定しても、放射率の大小によって発汗量が異なり多くなる。これは体内老廃物の排出と、体脂肪の燃焼がより促進されることになる。【００２０】熱源としての面状発熱体の温度を６０℃に設定してもセラミックの表面温度は４８〜５０℃で調整され、立ち上がりも室内温度が１８℃の場合１０分で所定の温度まで上がり使用できるようになった。室内温度の状態によって、面状発熱体の発熱温度の設定を調整すれば立ち上がり温度への到達時間は著しく短縮される。また、個人による温度設定は各ベッド毎に可能となり、個人の体の状態によって、温度を調整することが可能になった。この場合も面状発熱体の設定温度を従来のパイプの設定よりも１０℃前後低下させても遠赤外線浴の効果は変わらない。これは放射率の向上と面状発熱体の相乗効果による。【００２１】面状発熱体の施工は、従来のパイプに比べ施工時間、施工コスト共に四〜五分の一以下に軽減された。【００２２】ランニングコストはパイプ方式に比較して、熱交換効率がパイプ方式が５４％ほどに対して９３％と高く、温度の設定において、電流のＯＮ、ＯＦＦの繰り返しにおいてコストは低下する。しかも、立ち上がり時間の問題で常時３０℃に維持していかなければならないパイプ式に比べ、停止で済むのでコストはかからない。ランニングコストは十分の一に低下した。
【実施例１】
【００２３】試験設置（セラミック製造工場敷地内施工）
遠赤外線放射平板型を図１及び２のように配置し、パイプ式熱源と面状発熱体熱源の方法で設置試験した。
【図面の簡単な説明】
【図１】遠赤外線浴ベッド平面図
【図２】遠赤外線浴ベッド断面図
【図３】面状発熱体シート平面敷設図
【符号の説明】
【００２４】１  平板整形盤（焼成セラミック板）または岩石の板状盤
２  球状整形玉（球状焼成セラミック）
３  面状発熱体シート
４  平板変形盤（焼成セラミック板）又は岩石の変形板状盤
５  コンクリート（粉状セラミック混入）
６  断熱材
７  面状発熱体シートのポリエチレンラミネート
８  発熱体塗布部
９  平銅線
【手続補正２】
【補正対象書類名】手続補正書
【補正対象項目名】手続補正４
【補正方法】変更
【補正の内容】
【手続補正４】
【補正対象書類名】図面
【補正対象項目名】全図
【補正方法】変更
【補正の内容】
【図１】
2007021166.tif 000010
【図２】
2007021166.tif 000011
【図３】
2007021166.tif 000012